(57)【要約】【課題】コストの増大および大型化を抑制しつつ、紙幣の表裏および天地を取り揃えることが容易に可能となる紙幣処理装置の提供。【解決手段】識別部１６による識別結果に基づき、収納部１８Ｂ〜１８Ｄから繰り出された紙幣のうち表裏取揃部５０で表裏が取り揃えられると天地方向が第１方向に向く天地第１方向紙幣を表裏取揃部５０で表裏を取り揃えて払出口１２に払い出す一方、表裏取揃部５０で表裏が取り揃えられると天地方向が第１方向とは逆の第２方向に向く天地第２方向紙幣を集積部２４に集積させる第１の払出処理を行い、該第１の払出処理の後、集積部２４から天地第２方向紙幣を繰り出し、識別部１６による識別結果に基づき表裏取揃部５０で表裏を取り揃えて払出口１２に払い出す第２の払出処理を行う。【選択図】図６
2018060585.tif 000002
【特許請求の範囲】
【請求項１】
紙幣を繰り出し可能に収納する収納部と、
紙幣の表裏および天地を識別する識別部と、
前記識別部の識別結果に基づいて紙幣の表裏を取り揃える表裏取揃部と、
紙幣を払い出す払出口と、
紙幣を繰り出し可能に集積する集積部と、
前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記払出口に払い出す第２の払出処理を行う制御部と、
を有することを特徴とする紙幣処理装置。
【発明の詳細な説明】
【技術分野】
【０００１】
本発明は、紙幣の表裏を取り揃えて払い出し可能な紙幣処理装置に関するものである。
【背景技術】
【０００２】
紙幣入出金機において、表裏取揃部を備えることで紙幣の表裏を取り揃えて出金するものがある（例えば、特許文献１参照）。通常の表裏取揃部は、表裏反転の必要がない紙幣はメインの搬送路でそのまま取引口側に搬送する。また、表裏反転の必要がある紙幣については、これをメインの搬送路から分岐した搬送路に一旦退避させ、この搬送路で搬送の前後を反転させながらメインの搬送路の取引口側への流れに再び合流させることで表裏を反転させるようになっている。このため、表裏が反転する紙幣は、表裏とともに天地も反転することになる。
【０００３】
また、上記に加えて、天地はそのままで表裏のみを反転させる機構を設けることで、表裏に加えて天地も取り揃えて紙幣を払い出すことができる装置がある（例えば、特許文献２参照）。
【０００４】
さらに、入金時に紙幣を天地方向に応じて異なる金種別収納庫に取り込み、出金時には、一方の金種別収納庫から表裏を取り揃えて紙幣を払い出すことで、表裏と天地とを取り揃えて払い出す紙幣入出金機がある（例えば、特許文献３参照）。
【先行技術文献】
【特許文献】
【０００５】
【特許文献１】特開２０１３−８８８５８号公報
【特許文献２】特開平６−１２４３７９号公報
【特許文献３】特開平９−８１８２９号公報
【発明の概要】
【発明が解決しようとする課題】
【０００６】
顧客サービス向上等の観点から、特許文献１に記載されたもののように払い出す紙幣の表裏のみを取り揃えるだけでは十分ではなく、特許文献２，３に記載されたもののように、表裏に加えて天地も取り揃えて紙幣を払い出すことが望ましい。しかしながら、表裏に加えて天地も取り揃えて紙幣を払い出す場合、特許文献２に記載されたように、紙幣の天地はそのままで表裏のみを反転させる機構を設けるのでは、構造が複雑化してコスト高になってしまう。また、特許文献３に記載されたように、入金時に紙幣を天地方向に応じて異なる金種別収納庫に取り込むのでは、比較的大型の金種別収納庫を余計に設置する必要があり、大型化してしまう等の課題がある。
【０００７】
したがって、本発明は、コストの増大および大型化を抑制しつつ、紙幣の表裏および天地を取り揃えることが容易に可能となる紙幣処理装置の提供を目的とする。
【課題を解決するための手段】
【０００８】
上記目的を達成するために、請求項１に係る発明は、紙幣を繰り出し可能に収納する収納部と、紙幣の表裏および天地を識別する識別部と、前記識別部の識別結果に基づいて紙幣の表裏を取り揃える表裏取揃部と、紙幣を払い出す払出口と、紙幣を繰り出し可能に集積する集積部と、前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記払出口に払い出す第２の払出処理を行う制御部と、を有することを特徴とする。
【発明の効果】
【０００９】
請求項１に係る発明によれば、収納部から繰り出された紙幣に対し、識別部で識別を行い、制御部は、この識別結果に基づいて、表裏取揃部で表裏が取り揃えられると天地方向が第１方向に向く天地第１方向紙幣を表裏取揃部で表裏を取り揃えて払出口に払い出す一方、表裏取揃部で表裏が取り揃えられると天地方向が第２方向に向く天地第２方向紙幣を集積部に集積させる第１の払出処理を行う。この第１の払出処理の後、制御部は、集積部から天地第２方向紙幣を繰り出し、識別部による識別結果に基づき表裏取揃部で表裏を取り揃えて払出口に払い出す第２の払出処理を行う。よって、表裏が取り揃えられた天地第１方向紙幣と、表裏が取り揃えられた天地第２方向紙幣とを分けて払い出すことができる。これにより、操作者は、纏まった状態の天地第１方向紙幣と、纏まった状態の天地第２方向紙幣とを取り出して、これらの天地を揃えるという容易な作業で、払い出された全ての紙幣の表裏および天地を取り揃えることができる。よって、紙幣の天地はそのままで表裏のみを反転させる機構を設けずに済むため、コストの増大を抑制することが可能となる。また、集積部は、出金時の紙幣であって天地第２方向紙幣のみを一時的に集積させることができれば良いため、大型化を抑制可能であり、ひいては機体の大型化を抑制することが可能となる。
【図面の簡単な説明】
【００１０】
【図１】本発明の第１実施形態に係る紙幣処理装置を概略的に示す構成図である。
【図２】本発明の第１実施形態に係る紙幣処理装置の表裏取揃部での紙幣の表裏の取り揃えについて説明する図である。
【図３】本発明の第１実施形態に係る紙幣処理装置を概略的に示す構成図であって、入金処理ルートを太線で示すものである。
【図４】本発明の第１実施形態に係る紙幣処理装置を概略的に示す構成図であって、収納処理ルートを太線で示すものである。
【図５】本発明の第１実施形態に係る紙幣処理装置を概略的に示す構成図であって、返却処理ルートを太線で示すものである。
【図６】本発明の第１実施形態に係る紙幣処理装置を概略的に示す構成図であって、出金処理の第１の払出処理ルートを太線で示すものである。
【図７】本発明の第１実施形態に係る紙幣処理装置を概略的に示す構成図であって、出金処理の第２の払出処理の前ルートを太線で示すものである。
【図８】本発明の第１実施形態に係る紙幣処理装置を概略的に示す構成図であって、出金処理の第２の払出処理の後ルートを太線で示すものである。
【図９】本発明の第１実施形態に係る紙幣処理装置を概略的に示す構成図であって、精査処理の往路ルートを太線で示すものである。
【図１０】本発明の第１実施形態に係る紙幣処理装置を概略的に示す構成図であって、精査処理の復路ルートを太線で示すものである。
【図１１】本発明の第１実施形態に係る紙幣処理装置を概略的に示す構成図であって、回収処理ルートを太線で示すものである。
【図１２】本発明の第１実施形態に係る紙幣処理装置を概略的に示す構成図であって、補充処理ルートを太線で示すものである。
【図１３】本発明の第２実施形態に係る紙幣処理装置を概略的に示す構成図であって、出金処理の第２の払出処理ルートを太線で示すものである。
【発明を実施するための形態】
【００１１】
「第１実施形態」
本発明の第１実施形態に係る紙幣処理装置を図１〜図１２を参照して以下に説明する。この紙幣処理装置１１は、外部から投入された紙幣を内部に収納する入金処理と、内部に収納されている紙幣を外部に取り出し可能に出金する出金処理とが可能であって入金処理で取り込んだ紙幣を出金用として使用する還流式の紙幣入出金装置である。なお、以下の説明における「前」は操作者側を、「後」は操作者とは反対側を示し、「左右」は操作者から見た左右を示している。
【００１２】
図１に示すように、紙幣処理装置１１の前面側には、入金用のバラ紙幣が外部から投入され、投入された紙幣を内部に繰り出し可能であるとともに、出金用のバラ紙幣が内部から繰り出されこれを外部に取り出し可能とする入出金口（払出口）１２が設けられている。紙幣処理装置１１の前面側には、この入出金口１２の下方に、入金用の紙幣のうち受け入れ不可なリジェクト紙幣を外部に取り出し可能に払い出す入金リジェクト口１３が設けられている。
【００１３】
入出金口１２は、紙幣の入出を行う内口部１２ａを一カ所のみ後端部に有しており、この内口部１２ａには、内口部１２ａから後方に延出した後、紙幣処理装置１１の後部で下側に折り返して前方に延出する搬送路１５Ａが接続されている。搬送路１５Ａには、後部の折返部分よりも入出金口１２側に、紙幣の真偽、正損、金種、表裏、天地、重送、斜行等を識別する識別部１６が設けられている。また、搬送路１５Ａの折返部分に対し入出金口１２とは反対側には、複数具体的には４カ所の搬送路１５Ｂ，１５Ｃ，１５Ｄ，１５Ｅが下方に分岐するように接続されている。これら搬送路１５Ｂ〜１５Ｅは、紙幣処理装置１１内の下部に前後に並んで設けられた複数具体的には４つの一時貯留収納部（収納部）１８Ｂ，１８Ｃ，１８Ｄ，１８Ｅに一対一で紙幣を入出可能に接続されている。つまり、搬送路１５Ｂに一時貯留収納部１８Ｂが、搬送路１５Ｃに一時貯留収納部１８Ｃが、搬送路１５Ｄに一時貯留収納部１８Ｄが、搬送路１５Ｅに一時貯留収納部１８Ｅが、それぞれ紙幣を入出可能に接続されている。
【００１４】
搬送路１５Ｂの分岐位置には、搬送路１５Ａで識別部１６から搬送中の紙幣を選択的に搬送路１５Ｂに振り分ける振分部２０Ｂが、搬送路１５Ｃの分岐位置には、搬送路１５Ａで識別部１６から搬送中の紙幣を選択的に搬送路１５Ｃに振り分ける振分部２０Ｃが、搬送路１５Ｄの分岐位置には、搬送路１５Ａで識別部１６から搬送中の紙幣を選択的に搬送路１５Ｄに振り分ける振分部２０Ｄが、搬送路１５Ｅの分岐位置には、搬送路１５Ａで識別部１６から搬送中の紙幣を選択的に搬送路１５Ｅに振り分ける振分部２０Ｅが、それぞれ設けられている。
【００１５】
搬送路１５Ａには、搬送路１５Ｅに対し識別部１６とは反対側に、下方に分岐するように搬送路１５Ｆが接続されており、この搬送路１５Ｆの末端にはリジェクトカセット２２が接続されている。搬送路１５Ｆの分岐位置には、搬送路１５Ａで搬送中の紙幣を選択的に搬送路１５Ｆに振り分ける振分部２０Ｆが設けられている。
【００１６】
搬送路１５Ａの最も入出金口１２とは反対側には、繰出カセット（集積部）２４が接続されており、この繰出カセット２４の下側には繰出カセット２４の紙幣を収納する収納カセット２５が設けられている。
【００１７】
搬送路１５Ａは、入出金口１２と識別部１６との間位置と、搬送路１５Ｅと搬送路１５Ｆとの間位置とが搬送路１５Ｇで接続されている。搬送路１５Ｇの入出金口１２および識別部１６側の分岐位置には、搬送路１５Ａで識別部１６側から入出金口１２側に搬送中の紙幣を選択的に搬送路１５Ｇに振り分ける振分部２０Ｇａが設けられている。
【００１８】
搬送路１５Ａには、入出金口１２と搬送路１５Ｇと間から分岐して入金リジェクト口１３に繋がる搬送路１５Ｈが接続されている。搬送路１５Ｈの分岐位置には、搬送路１５Ａで識別部１６側から入出金口１２側に搬送中の紙幣を選択的に搬送路１５Ｈに振り分ける振分部２０Ｈが設けられている。
【００１９】
そして、本実施形態において、搬送路１５Ａには、搬送路１５Ｇの入出金口１２および識別部１６側の接続位置と搬送路１５Ｈの接続位置との間から分岐して入出金口１２への接続位置近傍に合流する表裏反転搬送路１５Ｊが接続されている。表裏反転搬送路１５Ｊの入出金口１２とは反対側の分岐位置には、搬送路１５Ａで識別部１６側から入出金口１２側に搬送中の紙幣を選択的に表裏反転搬送路１５Ｊに振り分ける振分部２０Ｊが設けられている。
【００２０】
搬送路１５Ａは、より詳しくは、入出金口１２の内口部１２ａから後下がりに延出して表裏反転搬送路１５Ｊの入出金口１２側の端部に繋がる搬送部Ａａと、搬送部Ａａからさらに後下がりに延出し、鉛直下方に延出した後、湾曲して後側に向いて搬送路１５Ｈの分岐位置に繋がる搬送部Ａｂと、この搬送部Ａｂの下端から水平後方に延びて表裏反転搬送路１５Ｊの入出金口１２とは反対側の端部に繋がる搬送部Ａｃと、この搬送部Ａｃからさらに水平後方に延びて搬送路１５Ｇの一端の接続位置に繋がる搬送部Ａｄと、この搬送部Ａｄから紙幣処理装置１１の後部位置まで延出し下側に折り返して搬送路１５Ｂの分岐位置に繋がる搬送部Ａｅと、この搬送部Ａｅから水平前方に延出して搬送路１５Ｃの分岐位置に繋がる搬送部Ａｆと、この搬送部Ａｆから水平前方に延出して搬送路１５Ｄの分岐位置に繋がる搬送部Ａｇと、この搬送部Ａｇから水平前方に延出して搬送路１５Ｅの分岐位置に繋がる搬送部Ａｈと、この搬送部Ａｈから前上がりに傾斜して搬送路１５Ｇの他端の分岐位置に繋がる搬送部Ａｉと、この搬送部Ａｉから水平前方に延出して搬送路１５Ｆの分岐位置に繋がる搬送部Ａｊと、この搬送部Ａｊから水平前方に延出した後、湾曲して下方に向いて繰出カセット２４に繋がる搬送部Ａｋとを有している。
【００２１】
搬送路１５Ｈは、搬送部Ａｃから水平前方に延出して入金リジェクト口１３に繋がる。搬送路１５Ｇは、搬送部Ａｉ，Ａｊの間位置から後上がりに傾斜して搬送部Ａｄ，Ａｅの間位置に繋がる。
【００２２】
入出金口１２は、その外側開口部を開閉するシャッタ３０と、互いに上下および前後に離れて後下がりに傾斜する底面３１および天井面３２と、これら底面３１および天井面３２の後部を繋ぐように後上がりに傾斜する奥面３３と、底面３１および天井面３２に沿う姿勢で奥面３３に沿って昇降するビルプレス３４とを有しており、奥面３３と天井面３２との間に上記した内口部１２ａが設けられて搬送路１５Ａが接続されている。入出金口１２には、その内部の紙幣の有無を検出する紙幣検知センサ（紙幣検知手段）３５が設けられている。
【００２３】
入出金口１２は、ビルプレス３４が底面３１側の所定の投入位置した状態で、シャッタ３０が開かれると、ビルプレス３４と天井面３２との間に外部から紙幣が投入されることになる。その際に紙幣は、長さ方向を左右方向に沿わせビルプレス３４と平行をなした姿勢でビルプレス３４と天井面３２とを結ぶ方向に集積された状態で投入される。そして、ビルプレス３４を天井面３２側に移動させた状態で搬送路１５Ａの入出金口１２側に設けられた図示略の分離繰出機構が紙幣を一枚ずつに分離して内口部１２ａから内部に繰り出す。
【００２４】
また、入出金口１２には、搬送路１５Ａで搬送されてきた紙幣が内口部１２ａから一枚ずつビルプレス３４上に繰り出されることになり、その際に紙幣は、長さ方向を左右方向に沿わせビルプレス３４と平行をなした姿勢でビルプレス３４と天井面３２とを結ぶ方向に集積される。ビルプレス３４は、天井面３２側の所定の受入位置に位置した状態で、搬送路１５Ａで搬送されてきた紙幣の受け入れを開始することになり、紙幣の集積量に応じて天井面３２からの距離を拡大するようになっている。
【００２５】
一時貯留収納部１８Ｂには上部に一時貯留部４０Ｂが下部に出金収納部４１Ｂが、一時貯留収納部１８Ｃには上部に一時貯留部４０Ｃが下部に出金収納部４１Ｃが、一時貯留収納部１８Ｄには上部に一時貯留部４０Ｄが下部に出金収納部４１Ｄが、一時貯留収納部１８Ｅには上部に一時貯留部４０Ｅが下部に出金収納部４１Ｅが、それぞれ設けられている。
【００２６】
一時貯留部４０Ｂは、搬送路１５Ｂから導入された紙幣を出金収納部４１Ｂとは分離した状態で下から上へと順に集積させて一時貯留するとともに、一時貯留している紙幣を図示略の分離繰出機構により上側のものから順に一枚ずつ搬送路１５Ｂに繰り出し可能となっている。また、一時貯留部４０Ｂは、一時貯留している紙幣を上下方向に集積させた状態のまま出金収納部４１Ｂに収納可能となっている。出金収納部４１Ｂは、収納している紙幣を一時貯留部４０Ｂに紙幣がない状態で上昇させ、図示略の分離繰出機構により上側のものから順に一枚ずつ搬送路１５Ｂに繰り出し可能となっている。
【００２７】
同様に、一時貯留部４０Ｃ〜４０Ｅは、それぞれ、搬送路１５Ｃ〜１５Ｅの対応するものから導入された紙幣を下から上へと順に集積させて一時貯留するとともに、一時貯留している紙幣を図示略の分離繰出機構により上側のものから順に一枚ずつ搬送路１５Ｃ〜１５Ｅの対応するものに繰り出し可能となっている。また、一時貯留部４０Ｃ〜４０Ｅは、一時貯留している紙幣を上下方向に集積させた状態のまま出金収納部４１Ｃ〜４０Ｅの対応するものに収納可能となっている。出金収納部４１Ｃ〜４１Ｅは、収納している紙幣を一時貯留部４０Ｃ〜４０Ｅに紙幣がない状態で上昇させ、図示略の分離繰出機構により上側のものから順に一枚ずつ搬送路１５Ｃ〜１５Ｅの対応するものに繰り出し可能となっている。つまり、一時貯留収納部１８Ｂ〜１８Ｅは、紙幣を繰り出し可能に収納する。
【００２８】
ここで、具体的に、一時貯留収納部１８Ｂは万円券のみを繰り出し可能に収納することになり、一時貯留収納部１８Ｃは五千円券のみを繰り出し可能に収納することになり、一時貯留収納部１８Ｄは千円券のみを繰り出し可能に収納することになり、一時貯留収納部１８Ｅは二千円券および一時貯留収納部１８Ｂ〜１８Ｄで収納しきれないオーバーフロー紙幣を繰り出し可能に収納することになる。つまり、紙幣処理装置１１には、金種別の複数の一時貯留収納部１８Ｂ〜１８Ｄが設けられている。勿論、一時貯留収納部１８Ｂ〜１８Ｅの収納対象金種は、上記以外の設定も可能である。
【００２９】
リジェクトカセット２２は、紙幣の収納のみを行うもので、収納している紙幣の取り出しのために紙幣処理装置１１から取り外し可能となっている。
【００３０】
繰出カセット２４は、搬送路１５Ａから導入された紙幣を収納カセット２５とは分離した状態で下から上へと順に集積させて収納するとともに、収納している紙幣を図示略の分離繰出機構により上側のものから順に一枚ずつ搬送路１５Ａに繰り出し可能となっている。また、繰出カセット２４は、収納している紙幣を上下方向に集積させた状態のまま収納カセット２５に収納可能となっている。繰出カセット２４は、紙幣の補充のために紙幣処理装置１１から取り外し可能となっている。
【００３１】
収納カセット２５は、収納している紙幣を繰出カセット２４に紙幣がない状態で上昇させ、図示略の分離繰出機構により上側のものから順に一枚ずつ搬送路１５Ａに繰り出し可能となっている。
【００３２】
識別部１６は、入出金口１２等から繰り出されて搬送路１５Ａの搬送部Ａｅを前から後に移動する紙幣の真偽、正損、金種、表裏、天地、重送、斜行等を識別することになり、また、一時貯留収納部１８Ａ〜１８Ｅ等から繰り出されて搬送路１５Ａの搬送部Ａｅを逆方向に移動する紙幣の真偽、正損、金種、表裏、天地、重送、斜行等を識別することになる。
【００３３】
表裏反転搬送路１５Ｊは、搬送路１５Ａの搬送部Ａｄ，Ａｃの間位置から上側に分岐し湾曲して後方に後上がりに延びる入口側搬送部Ｊａと、この入口側搬送部Ｊａの末端位置から上側にて前方に前上がりに延出して搬送部Ａａ，Ａｂの間位置に繋がる出口側搬送部Ｊｂと、入口側搬送部Ｊａの末端位置に位置する紙幣を上方に押圧して出口側搬送部Ｊｂに移載する図示略の羽根車等の移載機構とを有している。
【００３４】
識別部１６の識別結果に基づいて、表裏反転が必要な紙幣は、搬送部Ａｄから振分部２０Ｊで表裏反転搬送路１５Ｊの入口側搬送部Ｊａに振り分けられる。すると、この紙幣は、入口側搬送部Ｊａの末端位置で、図示略の移載機構により出口側搬送部Ｊｂに移載されて出口側搬送部Ｊｂで搬送されることになり、表裏が反転された状態で搬送部Ａａを通って入出金口１２に繰り出されることになる。このとき、表裏反転搬送路１５Ｊは、構造上、紙幣を表裏に加えて天地方向も反転させることになる（図２（ｂ），（ｄ）参照）。なお、出口側搬送部Ｊｂから繰り出される紙幣は、図示略の案内機構によって常に搬送部Ａａ側に搬送されるようになっており、言い換えれば搬送部Ａｂへの進入が規制されるようになっている。
【００３５】
他方、識別部１６の識別結果から表裏反転が不要な紙幣は、搬送部Ａｄから振分部２０Ｊで搬送部Ａｃに振り分けられ、搬送部Ａｃから振分部２０Ｈで搬送部Ａｂに振り分けられる。すると、この紙幣は、搬送部Ａｄと同じ姿勢のまま搬送部Ａａを通って入出金口１２に繰り出されることになる。
【００３６】
なお、入出金口１２から搬送部Ａａに搬送される紙幣は、図示略の案内機構によって常に搬送部Ａｂ側に搬送されるようになっており、言い換えれば、出口側搬送部Ｊｂへの進入が規制されるようになっている。
【００３７】
以上により、表裏反転搬送路１５Ｊ、振分部２０Ｈ，２０Ｊおよび搬送部Ａｂ，Ａｃが、識別部１６の識別結果に基づいて紙幣の表裏の向きが一定となるように取り揃える表裏取揃部５０を構成している。よって、入出金口１２は、入金時に外部から投入された紙幣を繰り出すと共に、出金時にこの表裏取揃部５０で表裏が取り揃えられた紙幣を受け入れて外部に取り出し可能に払い出す。表裏取揃部５０は、識別部１６から表裏取揃部５０を通って入出金口１２に払い出される紙幣が、入出金口１２において上側が表面、下側が裏面となるように表裏を取り揃える。
【００３８】
表裏取揃部５０において、搬送部Ａｂ，Ａｃが、表裏取揃部５０で表裏反転させることなくても入出金口１２において上側が表面となる表券紙幣を搬送する表券ルートを構成し、表裏反転搬送路１５Ｊが、表裏取揃部５０で表裏反転させなければ入出金口１２において上側が表面とならない裏券紙幣を表裏反転させる裏券ルートを構成している。表裏反転搬送路１５Ｊつまり裏券ルートは、搬送部Ａｂ，Ａｃつまり表券ルートの鉛直方向の上側に配置されている。
【００３９】
振分部２０Ｊは、識別部１６から搬送されてきた紙幣を表券ルートと裏券ルートとに振り分けることになり、表裏反転搬送路１５Ｊと搬送部Ａｂとの合流部５１が表券ルートおよび裏券ルートを振分部２０Ｊとは反対側で合流させている。表裏反転搬送路１５Ｊの搬送長さ、つまり裏券ルートの搬送長さよりも、搬送部Ａｂ，Ａｃの搬送長さ、つまり表券ルートの搬送長さは短くなっており、裏券ルートおよび表券ルートは互いの紙幣搬送長さが非等長となっている。合流部５１と入出金口１２との間には搬送部Ａａが設けられており、よって、合流部５１と入出金口１２とは紙幣の搬送経路上、離れている。
【００４０】
表裏取揃部５０は、一端の振分部２０Ｊ側が一本の搬送部Ａｄに接続されており、他端の合流部５１側が一本の搬送部Ａａに接続されている。そして、この表裏取揃部５０の合流部５１と入出金口１２とは一本の搬送部Ａａで接続されており、この搬送部Ａａは他の搬送路に分岐したり、他の搬送路が合流したりしない。つまり、表裏取揃部５０の合流部５１と入出金口１２とは他の搬送路への分岐なく且つ他の搬送路の合流なく繋がっている。言い換えれば、表裏取揃部５０から入出金口１２への紙幣の流れにおいて表裏取揃部５０の直後に入出金口１２が配置されている。これにより、搬送部Ａａを短くし表裏取揃部５０を入出金口１２の近傍に配置している。
【００４１】
ここでは、紙幣の主模様（肖像や建物像）が描かれている面を表面とし、主模様が描かれていない面を裏面とする。また、主模様を適正に見たときの上側を天側とし、主模様を適正に見たときの下側を地側とする。裏面が上向き且つ天地逆向き（天側が下流側となる向き）の状態（図２（ｂ）の上流側の状態参照）で搬送部Ａｄ上を移動している紙幣が、振分部２０Ｊで表裏反転搬送路１５Ｊの入口側搬送部Ｊａに振り分けられると、この紙幣は、入口側搬送部Ｊａの末端位置では裏面が下向き（つまり表面が上向き）の状態となり、このまま図示略の移載機構で出口側搬送部Ｊｂに移載されて出口側搬送部Ｊｂで搬送されると表面が上向きの状態且つ天地正向き（天側が上流側となる向き）の状態（図２（ｂ）の下流側の状態参照）で搬送部Ａａを通って入出金口１２に繰り出されることになる。
【００４２】
また、識別部１６の識別結果から、裏面が上向き且つ天地正向きの状態（図２（ｄ）の上流側の状態参照）で搬送部Ａｄ上を移動している紙幣が、振分部２０Ｊで表裏反転搬送路１５Ｊの入口側搬送部Ｊａに振り分けられると、この紙幣は、入口側搬送部Ｊａの末端位置では裏面が下向き（つまり表面が上向き）の状態となり、このまま図示略の移載機構で出口側搬送部Ｊｂに移載されて出口側搬送部Ｊｂで搬送されると表面が上向きの状態且つ天地逆向きの状態（図２（ｄ）の下流側の状態参照）で搬送部Ａａを通って入出金口１２に繰り出されることになる。搬送部Ａａには紙幣の通過および紙幣の重送を検知する紙幣検知センサ５５が設けられている。
【００４３】
紙幣処理装置１１はその作動を制御する制御部６０を有しており、制御部６０には、操作者により操作入力がなされる操作部（操作手段）６１と、操作者に向けた報知等を表示する表示部（報知手段）６２と、識別部１６による紙幣の識別結果に基づく各紙幣の情報等を記憶する記憶部６３とが接続されている。記憶部６３には、各紙幣の金種情報、表裏方向情報、天地方向情報、収納先情報および収納順番情報と、紙幣の金種別の入金情報、出金情報等が記憶される。
【００４４】
次に、本実施形態に係る紙幣処理装置１１の作動について各処理別に説明する。
【００４５】
「入金処理」
図３の太線は、機外から入出金口１２に投入されたバラ紙幣を搬送しつつ識別計数し分類して一時貯留収納部１８Ｂ〜１８Ｅの一時貯留部４０Ｂ〜４０Ｅに一時貯留する入金処理のルートを示している。
【００４６】
入出金口１２は、シャッタ３０を閉じ、ビルプレス３４を最も底面３１側の投入位置に位置させた状態が待機状態となっている。この待機状態で、操作部６１に入金処理の選択操作が入力されると、制御部６０はシャッタ３０を開く。すると、入出金口１２のビルプレス３４上にバラ紙幣が集積状態で載置されることになる。制御部６０は、紙幣検知センサ３５で紙幣を検知していることを条件に、操作部６１に入金処理を行う旨の入力操作がなされると、入出金口１２の紙幣を識別部１６で識別した後に、識別結果に基づいて分類して一時貯留収納部１８Ｂ〜１８Ｅに一時貯留する入金処理を行う。
【００４７】
すなわち、制御部６０は、シャッタ３０を閉じ、ビルプレス３４を天井面３２側に移動させる。そして、入出金口１２の紙幣を、天井面３２側のものから一枚ずつ分離して内口部１２ａから取り入れ搬送路１５Ａの搬送部Ａａ〜Ａｅで所定の間隔をあけて搬送する。この搬送中に、紙幣は、まず、紙幣検知センサ５５で重送が検知され、重送でない一枚送りの紙幣は、次に識別部１６で識別される。そして、制御部６０は、識別部１６で受け入れ可能と識別された紙幣を、搬送部Ａｅから必要により搬送部Ａｆ〜Ａｈの適宜のもので搬送し、振分部２０Ｂ〜２０Ｅの適宜のもので振り分け、搬送路１５Ｂ〜１５Ｅの適宜のもので搬送して、一時貯留部４０Ｂ〜４０Ｅの対応するものに一時貯留させる（図３の太実線参照）。ここで、上記の入金処理ルートのうち搬送部Ａｂ，Ａｃは表裏取揃部５０の表券ルートを構成するものであるため、入出金口１２から繰り出された紙幣は、表券ルートを介して識別部１６に向けて搬送されることになり、紙幣検知センサ５５は、入出金口１２から表券ルートへの紙幣の重送を検知することになる。
【００４８】
具体的に、入金処理では、識別部１６で、一時貯留収納部１８Ｂに収納されるべき単一金種である万円券と識別された紙幣は、一時貯留部４０Ｂおよび出金収納部４１Ｂが共に満杯状態になければ、搬送路１５Ａの搬送部Ａｅから振分部２０Ｂで搬送路１５Ｂに振り分けられて一時貯留部４０Ｂに搬送されて一時貯留される。また、識別部１６で、一時貯留収納部１８Ｃに収納されるべき単一金種である五千円券と識別された紙幣は、一時貯留部４０Ｃおよび出金収納部４１Ｃが共に満杯状態になければ、搬送路１５Ａの搬送部Ａｆから振分部２０Ｃで搬送路１５Ｃに振り分けられて一時貯留部４０Ｃに搬送されて一時貯留される。また、識別部１６で、一時貯留収納部１８Ｄに収納されるべき単一金種である千円券と識別された紙幣は、一時貯留部４０Ｄおよび出金収納部４１Ｄが共に満杯状態になければ、搬送部Ａの搬送部Ａｇから振分部２０Ｄで搬送路１５Ｄに振り分けられて一時貯留部４０Ｄに搬送されて一時貯留される。なお、万円券、五千円券および千円券のうち、搬送先の一時貯留部４０Ｂ〜４０Ｄまたは出金収納部４１Ｂ〜４１Ｄが満杯状態にあるオーバーフロー紙幣と、二千円券とについては、搬送路１５Ａの搬送部Ａｈから振分部２０Ｅで搬送路１５Ｅに振り分けられて一時貯留部４０Ｅに搬送されて一時貯留される。
【００４９】
制御部６０は、識別部１６の識別結果に基づいて、一時貯留部４０Ｅに一時貯留するすべての紙幣について、それぞれの金種を収納の順番と関連付けて記憶部６３に記憶する一方、一時貯留部４０Ｂ〜４０Ｄに一時貯留する紙幣については、それぞれの金種とともに表裏方向および天地方向を収納の順番と関連付けて記憶部６３に記憶する。言い換えれば、記憶部６３は、一時貯留部４０Ｂ〜４０Ｄに一時貯留されている紙幣についての表裏方向および天地方向を記憶する。
【００５０】
なお、入出金口１２から表裏取揃部５０の搬送部Ａｂ，Ａｃ（つまり表券ルート）への紙幣の重送が搬送部Ａａに設けられた紙幣検知センサ５５で検知されると、制御部６０は、入出金口１２からの紙幣の取り込みを一旦停止させるとともに、重送の紙幣を搬送路１５Ａの搬送部Ａｃに完全に移動させてから、搬送路１５Ａを逆転させて、重送の紙幣を含む搬送路１５Ａにあるすべての紙幣を、振分部２０Ｈおよび搬送路１５Ｈによって、入金リジェクト口１３に排出する（図３の太破線参照）。そして、搬送路１５Ａにある紙幣をすべて入金リジェクト口１３に排出すると、制御部６０は、再び、入出金口１２にある紙幣を、上記と同様にして搬送路１５Ａに取り込んで一時貯留部４０Ｂ〜４０Ｅに向け搬送する。
【００５１】
また、識別部１６で受け入れ不可と紙幣が識別された場合も、制御部６０は、入出金口１２からの紙幣の取り込みを一旦停止させるとともに、搬送部Ａａ，Ａｂにあった紙幣を完全に搬送部Ａｃまで移動させてから、搬送路１５Ａを逆転させて、識別部１６で受け入れ不可と識別された紙幣を含む搬送路１５Ａにある紙幣をすべて、振分部２０Ｈおよび搬送路１５Ｈにより入金リジェクト口１３に排出する（図３の太破線参照）。そして、搬送路１５Ａにある紙幣をすべて入金リジェクト口１３に排出すると、制御部６０は、再び、入出金口１２にある紙幣を、上記と同様にして搬送路１５Ａに取り込んで一時貯留部４０Ｂ〜４０Ｅに向け搬送する。
【００５２】
以上により、入出金口１２に投入された紙幣のうち、紙幣検知センサ５５で重送が検知された紙幣と識別部１６で受け入れ不可と識別された紙幣とそれぞれの前あるいは後の一枚あるいは数枚の紙幣が、入金リジェクト口１３に搬送されることになり、紙幣検知センサ５５で一枚送りが検知され、識別部１６で受け入れ可能と識別された紙幣が一時貯留部４０Ｂ〜４０Ｅの対応するものに一時貯留される。紙幣検知センサ３５の検知結果等に基づいて、入出金口１２に投入された紙幣がすべて入金リジェクト口１３および一時貯留部４０Ｂ〜４０Ｅのいずれかに搬送された状態になったと判断すると、制御部６０は、入金処理を終了する。
【００５３】
「収納処理」
図４の太線は、上記した入金処理にて一時貯留部４０Ｂ〜４０Ｅに一時貯留した紙幣を、操作部６１への承認操作が入力されたことを条件に、確定して、出金収納部４１Ｂ〜４１Ｅの対応するものに収納する収納処理のルートを示している。
【００５４】
すなわち、入金処理の終了後、制御部６０は、識別部１６の識別結果から一時貯留部４０Ｂ〜４０Ｅに一時貯留されている紙幣の金種別の枚数および総額等の金額情報を表示部６２に表示させる。これを見て、操作者が操作部６１に承認操作を入力すると、制御部６０は、上記金額情報を記憶するとともに、一時貯留部４０Ｂに一時貯留させていた紙幣を出金収納部４１Ｂに収納し、一時貯留部４０Ｃに一時貯留させていた紙幣を出金収納部４１Ｃに収納し、一時貯留部４０Ｄに一時貯留させていた紙幣を出金収納部４１Ｄに収納し、一時貯留部４０Ｅに一時貯留させていた紙幣を出金収納部４１Ｅに収納する（図４の太実線参照）。
【００５５】
制御部６０は、識別部１６の識別結果に基づいて、出金収納部４１Ｅに収納するすべての紙幣について、それぞれの金種を収納の順番と関連付けて記憶部６３に記憶する一方、出金収納部４１Ｂ〜４１Ｄに収納する紙幣については、それぞれの金種、表裏方向および天地方向を収納の順番と関連付けて記憶部６３に記憶する。言い換えれば、記憶部６３は、出金収納部４１Ｂ〜４１Ｄに収納しているすべての紙幣についての金種、表裏方向および天地方向を記憶している。
【００５６】
具体的に、制御部６０は、この収納処理を含むすべての処理において、万円券の紙幣を出金収納部４１Ｂに収納する際には常に、記憶部６３に記憶されている出金収納部４１Ｂに関する収納紙幣の金種を含む情報に対して、取り込んだ紙幣の分を収納枚数に加算するとともに、取り込んだ紙幣に関する表裏方向および天地方向の情報を順に追加記憶する。また、出金収納部４１Ｂから紙幣を繰り出す際には常に、記憶部６３に記憶されている出金収納部４１Ｂに関する収納紙幣の情報に対して、繰り出した紙幣の分を収納枚数から減算するとともに、繰り出した紙幣に関する表裏方向および天地方向の情報を順に削除する。これにより、記憶部６３は、出金収納部４１Ｂに順に収納されているすべての万円券の紙幣についての個別の表裏方向および天地方向の情報を記憶している。
【００５７】
同様に、五千円券の紙幣を出金収納部４１Ｃに収納する際には常に、記憶部６３に記憶されている出金収納部４１Ｃに関する収納紙幣の金種を含む情報に対して、取り込んだ紙幣の分を収納枚数に加算するとともに、取り込んだ紙幣に関する表裏方向および天地方向の情報を順に追加記憶する。また、出金収納部４１Ｃから紙幣を繰り出す際には常に、記憶部６３に記憶されている出金収納部４１Ｃに関する収納紙幣の情報に対して、繰り出した紙幣の分を収納枚数から減算するとともに、繰り出した紙幣に関する表裏方向および天地方向の情報を順に削除する。これにより、記憶部６３は、出金収納部４１Ｃに順に収納されているすべての五千円券の紙幣についての個別の表裏方向および天地方向の情報を記憶している。
【００５８】
同様に、千円券の紙幣を出金収納部４１Ｄに収納する際には常に、記憶部６３に記憶されている出金収納部４１Ｄに関する収納紙幣の金種を含む情報に対して、取り込んだ紙幣の分を収納枚数に加算するとともに、取り込んだ紙幣に関する表裏方向および天地方向の情報を順に追加記憶する。また、出金収納部４１Ｄから紙幣を繰り出す際には常に、記憶部６３に記憶されている出金収納部４１Ｄに関する収納紙幣の情報に対して、繰り出した紙幣の分を収納枚数から減算するとともに、繰り出した紙幣に関する表裏方向および天地方向の情報を順に削除する。これにより、記憶部６３は、出金収納部４１Ｄに順に収納されているすべての千円券の紙幣についての個別の表裏方向および天地方向の情報を記憶している。
【００５９】
紙幣を出金収納部４１Ｅに収納する際には常に、記憶部６３に記憶されている出金収納部４１Ｅに関する収納紙幣の情報に対して、取り込んだ紙幣の分をそれぞれの金種の収納枚数に加算するとともに、取り込んだ紙幣に関する金種情報を順に追加記憶する。また、出金収納部４１Ｅから紙幣を繰り出す際には常に、記憶部６３に記憶されている出金収納部４１Ｅに関する収納紙幣の情報に対して、繰り出した紙幣の分をそれぞれの金種の収納枚数から減算するとともに、繰り出した紙幣に関する金種情報を順に削除する。これにより、記憶部６３は、出金収納部４１Ｅに順に収納されているすべての紙幣についての個別の金種情報を記憶している。
【００６０】
「返却処理」
図５の太線は、入金処理にて一時貯留部４０Ｂ〜４０Ｅに一時貯留した紙幣を、操作部６１へのキャンセル操作が入力されたことを条件に、入出金口１２に繰り出す返却処理のルートを示している。
【００６１】
すなわち、入金処理終了後の金額情報の表示部６２への表示後、操作者が操作部６１に返却操作を入力すると、制御部６０は、ビルプレス３４を受入位置に位置させて、搬送路１５Ｂ〜１５Ｅ、搬送路１５Ａの搬送部Ａａ〜Ａｈにより、一時貯留部４０Ｂ〜４０Ｅに一時貯留されていた紙幣を入出金口１２に放出させる。すると、放出された紙幣は、シャッタ３０に当接し下方に落下することによりビルプレス３４上に集積される（図５の太実線参照）。その際に、制御部６０は、紙幣検知センサ５５により検知された紙幣の枚数に応じてビルプレス３４を底面３１側に移動させる。そして、一時貯留部４０Ｂ〜４０Ｅに一時貯留されていた紙幣がすべて入出金口１２に放出されると、制御部６０は、シャッタ３０を開いて、紙幣を外部に取り出し可能とする。なお、この返却処理においても、後述する出金処理と同様に、表裏取揃部５０で入出金口１２へ繰り出す紙幣の表裏および天地を取り揃えるようにしたり、表裏のみを取り揃えるようにしたりすることが可能である。
【００６２】
「出金処理」
この出金処理は、金種別の一時貯留収納部１８Ｂ〜１８Ｄの出金収納部４１Ｂ〜４１Ｅから紙幣を繰り出し識別部１６で識別しつつ入出金口１２に払い出す処理である。この出金処理の際に、制御部６０は、識別部１６の識別結果に基づいて、一時貯留収納部１８Ｂ〜１８Ｄから繰り出された紙幣のうち表裏取揃部５０で表裏が取り揃えられると天地方向が第１方向に向く天地第１方向紙幣を表裏取揃部５０で表裏を取り揃えて入出金口１２に払い出す一方、表裏取揃部５０で表裏が取り揃えられると天地方向が第１方向とは逆の第２方向に向く天地第２方向紙幣を一旦繰出カセット２４に集積させる第１の払出処理を行い、この第１の払出処理の後、繰出カセット２４から天地第２方向紙幣を繰り出し、識別部１６による識別結果に基づき表裏取揃部５０で表裏を取り揃えて入出金口１２に払い出す第２の払出処理を行うようになっている。しかも、制御部６０は、第２の払出処理において、天地第２方向紙幣を繰出カセット２４から繰り出し、一旦一時貯留収納部１８Ｂ〜１８Ｄの繰り出し元の一時貯留部４０Ｂ〜４０Ｅに戻した後、一時貯留部４０Ｂ〜４０Ｅの紙幣の戻されたものから紙幣を繰り出し、識別部１６による識別結果に基づき表裏取揃部５０で表裏を取り揃えて入出金口１２に払い出すようになっている。
【００６３】
図６の太線は、操作部６１へ入力された出金操作に基づいて、一時貯留収納部１８Ｂ〜１８Ｄの指定された金種のものから、指定された所定の金種および枚数の出金紙幣を出金する出金処理の第１の払出処理のルートを示している。図７の太線は、第１の払出処理の後の第２の払出処理の先ルートを示しており、図８の太線は、第２の払出処理の先ルートの後の後ルートを示している。
【００６４】
操作部６１へ入力された出金操作に基づいて紙幣を入出金口１２に払い出す一の出金処理において、金種毎に第１の払出処理および第２の払出処理を行うとともに複数金種の紙幣を途中での取り出しを確認することなく連続的に入出金口１２に払い出す一括出金モードと、金種毎に第１の払出処理および第２の払出処理を行うとともに金種毎に紙幣の入出金口１２からの取り出しを確認しつつ紙幣を入出金口１２に払い出す金種別分割出金モードと、金種毎に第１の払出処理および第２の払出処理を行うとともに各金種の天地方向毎に紙幣の入出金口１２からの取り出しを確認しつつ紙幣を入出金口１２に払い出す天地別分割出金モードと、の三つのモードから択一的にモードが選択できるようになっている。このモード選択は、操作部６１への選択操作によって行われる。
【００６５】
一括出金モードでは、シャッタ３０を閉じた状態で、金種別の一時貯留収納部１８Ｂ〜１８Ｄのうちの一の金種の一時貯留収納部から当該一の金種の払い出し枚数の紙幣を、いずれも空の状態にある入出金口１２および繰出カセット２４に天地方向に応じて振り分けて搬送する第１の払出処理を行った後、繰出カセット２４から入出金口１２に紙幣を払い出す第２の払出処理を行う。一の出金処理で払い出される紙幣が複数金種ある場合には、すべての金種について、以上の第１の払出処理および第２の払出処理を行う。そして、すべての金種について、以上の第１の払出処理および第２の払出処理を行うと、シャッタ３０を開く。つまり、一の出金処理で払い出されるべき紙幣がすべて入出金口１２に払い出されるとシャッタ３０を開く。
【００６６】
金種分割出金モードでは、シャッタ３０を閉じた状態で、金種別の一時貯留収納部１８Ｂ〜１８Ｄのうちの一の金種の一時貯留収納部から当該一の金種の払い出し枚数の紙幣を、いずれも空の状態にある入出金口１２および繰出カセット２４に天地方向に応じて振り分けて搬送する第１の払出処理を行った後、繰出カセット２４から入出金口１２に紙幣を払い出す第２の払出処理を行った後、シャッタ３０を開く。一の出金処理で払い出される紙幣が複数金種ある場合には、すべての金種について、第１の払出処理および第２の払出処理を行う。つまり、一の出金処理で払い出されるべき紙幣を金種別に入出金口１２に払い出す度にシャッタを開いて紙幣の入出金口１２からの取り出しを確認する。
【００６７】
天地分割出金モードでは、シャッタ３０を閉じた状態で、金種別の一時貯留収納部１８Ｂ〜１８Ｄのうちの一の金種の一時貯留収納部から当該一の金種の払い出し枚数の紙幣を、いずれも空の状態にある入出金口１２および繰出カセット２４に天地方向に応じて振り分けて搬送する第１の払出処理を行った後、シャッタ３０を開き、紙幣検知センサ３５が入出金口１２の紙幣なしを検知すると、シャッタ３０を閉じて、繰出カセット２４から入出金口１２に紙幣を払い出す第２の払出処理を行った後、シャッタ３０を開く。一の出金処理で払い出される紙幣が複数金種ある場合には、すべての金種について、以上の第１の払出処理および第２払出処理を行う。つまり、一の出金処理で払い出されるべき紙幣を金種別および天地別に入出金口１２に払い出す度にシャッタを開いて紙幣の入出金口１２からの取り出しを確認する。
【００６８】
一の出金処理では、まず、操作部６１への操作入力で、出金処理の選択操作と、出金すべき紙幣の金種別の枚数あるいは出金金額が指定入力され、出金処理を実行する旨の操作入力がなされる。制御部６０は、出金金額が指定入力された場合には、出金枚数が最小となる組み合わせで出金すべき紙幣の金種別の枚数を算出して指定する。
【００６９】
（一括出金モード）
まず、一括出金モードが選択設定されている場合について説明する。制御部６０は、一の出金処理において出金すべき紙幣に一時貯留収納部１８Ｂの出金収納部４１Ｂに収納されている金種の紙幣（万円券）がある場合に、この金種の払出枚数と、記憶部６３に記憶されている記憶内容である、出金収納部４１Ｂに収納されている紙幣についての、収納の順の表裏方向および天地方向から、払い出すべき指定の枚数の紙幣を一時貯留収納部１８Ｂから繰り出した場合に、第１の払出処理で入出金口１２に払い出される枚数が、第２の払出処理で入出金口１２に払い出される枚数以上となるように、第１の払出処理で入出金口１２に払い出す紙幣の天地方向を設定する。
【００７０】
例えば、表裏取揃部５０を通過後に天地正向きとなる紙幣の枚数が天地逆向きとなる紙幣の枚数以上である場合は、表裏取揃部５０を通過後に天地正向きとなる紙幣を、第１の払出処理で入出金口１２に払い出す天地第１方向紙幣とし、表裏取揃部５０を通過後に天地逆向きとなる紙幣を、第２の払出処理で入出金口１２に払い出す天地第２方向紙幣とする。逆に、表裏取揃部５０を通過後に天地逆向きとなる紙幣の枚数が天地正向きとなる紙幣の枚数より多い場合は、表裏取揃部５０を通過後に天地逆向きとなる紙幣を、第１の払出処理で入出金口１２に払い出す天地第１方向紙幣とし、表裏取揃部５０を通過後に天地正向きとなる紙幣を、第２の払出処理で入出金口１２に払い出す天地第２方向紙幣とする。つまり、制御部６０は、一時貯留収納部１８Ｂから設定枚数の紙幣を入出金口１２に払い出す一の出金処理時に、予め記憶している一時貯留収納部１８Ｂの収納紙幣の表裏および天地の情報に基づいて、天地第１方向紙幣の枚数が天地第２方向紙幣の枚数以上となるように天地方向の第１方向および第２方向を設定する。
【００７１】
ここでは、具体的に、表裏取揃部５０を通過後に天地正向きとなる紙幣の枚数が天地逆向きとなる紙幣の枚数以上であると判定した場合を例にとり説明する。
【００７２】
制御部６０は、待機状態にある入出金口１２のビルプレス３４を天井面３２側の所定の受入位置に移動させるとともに、第１の払出処理として、一時貯留収納部１８Ｂの出金収納部４１Ｂに収納されていた紙幣を上昇させて、出金収納部４１Ｂに収納されていた紙幣の中から金額情報に応じた枚数（後述するように、金額情報に含まれる入出金口１２に払い出すべき枚数よりも多い枚数）の紙幣を搬送路１５Ｂおよび搬送部Ａｅで識別部１６に向けて搬送する。
【００７３】
そして、識別部１６で出金可能と識別された紙幣のうち、図２（ａ）に示すように表面を上側としている天地正向きの紙幣（天地第１方向紙幣）は、搬送部Ａｄ，Ａｃ，Ａｂ，Ａａで搬送して内口部１２ａから入出金口１２に放出させる（図６の太実線参照）。また、識別部１６で出金可能と識別された紙幣のうち、図２（ｂ）に示すように裏面を上側としている天地逆向きの紙幣（天地第１方向紙幣）は、振分部２０Ｊにより表裏反転搬送路１５Ｊに搬送し、表裏を反転させて、搬送部Ａａを介して内口部１２ａから入出金口１２に放出させる（図６の太実線参照）。これにより、入出金口１２には、ビルプレス３４上に一時貯留収納部１８Ｂの金種（万円券）の天地正向きの紙幣が表面を上側にして集積される。
【００７４】
また、識別部１６で出金可能と識別された紙幣のうち、表面を上側としている天地逆向きの紙幣（天地第２方向紙幣）は、振分部２０Ｇａにより搬送路１５Ｇに搬送し、搬送部Ａｊ，Ａｋを介して繰出カセット２４に集積させる（図６の太鎖線参照）。また、識別部１６で出金可能と識別された紙幣のうち、裏面を上側としている天地正向きの紙幣（天地第２方向紙幣）も、振分部２０Ｇａにより搬送路１５Ｇに搬送し、搬送部Ａｊ，Ａｋを介して繰出カセット２４に集積させる（図６の太鎖線参照）。
【００７５】
金額情報に応じた枚数の紙幣を入出金口１２および繰出カセット２４に分けて集積させると、その後、制御部６０は、一時貯留収納部１８Ｂの出金収納部４１Ｂに収納されていた紙幣を下降させて、一時貯留収納部１８Ｂからの第１の払出処理を終了する。
【００７６】
上記の第１の払出処理中に、識別部１６で重送や斜行が検出された出金不可紙幣は、振分部２０Ｇａ，２０Ｆで搬送路１５Ｇ、搬送部Ａｊおよび搬送路１５Ｆに搬送し、リジェクトカセット２２に収納することになり（図６の太破線参照）、制御部６０は、その分の紙幣を追加で一時貯留収納部１８Ｂから繰り出させる。
【００７７】
ここで、第１の払出処理において、一時貯留収納部１８Ｂから繰り出させる紙幣の枚数は、入出金口１２に後述する第２の払出処理を加えて最終的に払い出すべき全枚数（金額情報と一致する枚数）に対して、後述する第２の払出処理で重送等の出金不可紙幣が生じた場合でも入出金口１２に払い出すべき枚数を確保可能な枚数とする。例えば、第１の払出処理において、入出金口１２に払い出した紙幣の枚数と繰出カセット２４に搬送した紙幣の枚数との合計が、後述する第２の払出処理を加えて最終的に入出金口１２に払い出すべき全枚数となってから、繰出カセット２４に所定枚数（例えば５枚）の紙幣が追加で搬送されるように一時貯留収納部１８Ｂから繰り出させる。つまり、制御部６０は、第１の払出処理において、入出金口１２に払い出す天地第１方向紙幣の枚数と、繰出カセット２４に集積させる天地第２方向紙幣の枚数とを加算した枚数が、第２の払出処理を加えて最終的に入出金口１２に払い出すべき紙幣の枚数よりも多くなるように、一時貯留収納部１８Ｂからの繰り出し枚数を設定する。
【００７８】
一時貯留収納部１８Ｂからの第１の払出処理が終了すると、制御部６０は、一時貯留収納部１８Ｂからの出金に関する第２の払出処理として、繰出カセット２４の紙幣を一枚ずつ分離しつつすべて搬送部Ａｋ，Ａｊに繰り出して、搬送路１５Ｇ、搬送部Ａｅで搬送し、識別部１６の識別結果から、一時貯留収納部１８Ｂの一時貯留部４０Ｂへの一時貯留が適正であると識別された紙幣を振分部２０Ｂで搬送路１５Ｂに振り分け、一時貯留部４０Ｂに一時貯留させる（図７の太実線参照）。一方、識別部１６の識別結果から一時貯留収納部１８Ｂへの収納が適正であると識別されなかった重送等の紙幣を、繰出カセット２４の繰り出しを一旦停止させた状態で、搬送部Ａｆ，Ａｇ，Ａｈ，Ａｉ，Ａｊに搬送し振分部２０Ｆにより搬送路１５Ｆに振り分けてリジェクトカセット２２に収納する（図７の太破線参照）。
【００７９】
繰出カセット２４のすべての紙幣を一時貯留部４０Ｂおよびリジェクトカセット２２に搬送すると、制御部６０は、一時貯留部４０Ｂに一時貯留されていた紙幣の中から金額情報に応じた枚数の紙幣を搬送路１５Ｂおよび搬送部Ａｇ，Ａｆ，Ａｅで識別部１６に向けて搬送する。そして、識別部１６で出金可能と識別された紙幣のうち表面を上側としている天地逆向きの紙幣（天地第２方向紙幣：図２（ｃ）参照）は、搬送部Ａｄ，Ａｃ，Ａｂ，Ａａで搬送して内口部１２ａから入出金口１２に放出させる（図８の太実線参照）。また、識別部１６で出金可能と識別された紙幣のうち裏面を上側としている天地正向きの紙幣（天地第２方向紙幣：図２（ｄ）参照）は、振分部２０Ｊにより表裏反転搬送路１５Ｊに搬送し、表裏を反転させて、搬送部Ａａを介して内口部１２ａから入出金口１２に放出させる（図８の太実線参照）。一方、識別部１６で重送や斜行が検出された出金不可紙幣は、振分部２０Ｇａ，２０Ｆで搬送路１５Ｇ、搬送部Ａｊおよび搬送路１５Ｆに搬送し、リジェクトカセット２２に収納することになり（図８の太破線参照）、制御部６０は、その分の紙幣を追加で一時貯留部４０Ｂから繰り出させる。
【００８０】
このようにして、一時貯留収納部１８Ｂから金額情報に応じた枚数の紙幣を入出金口１２に払い出すと、制御部６０は、一時貯留部４０Ｂに残っている紙幣を出金収納部４１Ｂに収納して、一時貯留収納部１８Ｂに関する第２の払出処理を終了する。これにより、入出金口１２には、上記した一時貯留収納部１８Ｂの金種（万円券）の天地正向きの紙幣の上に、一時貯留収納部１８Ｂの金種（万円券）の天地逆向きの紙幣が表面を上側にして集積される。
【００８１】
一の出金処理において出金すべき紙幣に一時貯留収納部１８Ｃの出金収納部４１Ｃに収納されている金種の紙幣（五千円券）がある場合には、一時貯留収納部１８Ｃの紙幣について、上記と同様の第１の払出処理と第２の払出処理とを行う。
【００８２】
一の出金処理において出金すべき紙幣に一時貯留収納部１８Ｄの出金収納部４１Ｄに収納されている金種の紙幣（千円券）がある場合には、一時貯留収納部１８Ｄの紙幣について、上記と同様の第１の払出処理と第２の払出処理とを行う。
【００８３】
制御部６０は、一の出金処理において出金すべき紙幣をすべて入出金口１２に出金させてシャッタ３０を開き、入出金口１２から紙幣が取り出されることで、紙幣検知センサ３５が紙幣を検知しなくなると、シャッタ３０を閉じて、一の出金処理を終了する。操作者は、入出金口１２から取り出した紙幣を金種別および天地別に分け、金種が同じ紙幣同士を天地を揃えて重ねる。
【００８４】
ここで、以上の一括出金モードが選択されている場合に、制御部６０は、入出金口１２からの紙幣の取り出しが一回になる旨を、一の出金処理中に表示部６２へ表示させて報知する。
【００８５】
（金種別分割出金モード）
一の出金処理で、金種分割出金モードが選択設定されている場合について説明する。この場合、制御部６０は、一の出金処理において出金すべき紙幣に一時貯留収納部１８Ｂの出金収納部４１Ｂに収納されている金種の紙幣（万円券）がある場合には、一時貯留収納部１８Ｂの紙幣について、上記した第１の払出処理と第２の払出処理とを続けて行った後に、シャッタ３０を開く。入出金口１２から紙幣が取り出されることで、紙幣検知センサ３５が入出金口１２の紙幣を検知しなくなると、シャッタ３０を閉じる。操作者は、取り出した紙幣（万円券）を天地別に分け、天地を揃えて重ねる。
【００８６】
シャッタ３０を閉じると、制御部６０は、一の出金処理において出金すべき紙幣に一時貯留収納部１８Ｃの出金収納部４１Ｃに収納されている金種の紙幣（五千円券）がある場合には、一時貯留収納部１８Ｃの紙幣について、上記した第１の払出処理と第２の払出処理とを続けて行った後、シャッタ３０を開く。つまり、制御部６０は、一時貯留収納部１８Ｂの紙幣について、上記した第１の払出処理と第２の払出処理とを続けて行った後、シャッタ３０を開き、その後、紙幣検知センサ３５が入出金口１２の紙幣無しを検知すると、次の金種について第１の払出処理と第２の払出処理とを行う。入出金口１２から紙幣が取り出されることで、紙幣検知センサ３５が紙幣を検知しなくなると、制御部６０はシャッタ３０を閉じる。操作者は、取り出した紙幣（五千円券）を天地別に分け、天地を揃えて重ねる。
【００８７】
シャッタ３０を閉じると、制御部６０は、一の出金処理において出金すべき紙幣に一時貯留収納部１８Ｄの出金収納部４１Ｄに収納されている金種の紙幣（千円券）がある場合には、一時貯留収納部１８Ｄの紙幣について、上記した第１の払出処理と第２の払出処理とを続けて行った後、シャッタ３０を開く。つまり、制御部６０は、一時貯留収納部１８Ｃの紙幣について、上記した第１の払出処理と第２の払出処理とを続けて行った後、シャッタ３０を開き、その後、紙幣検知センサ３５が入出金口１２の紙幣無しを検知すると、次の金種について第１の払出処理と第２の払出処理とを行う。入出金口１２から紙幣が取り出されることで、紙幣検知センサ３５が紙幣を検知しなくなると、制御部６０は、シャッタ３０を閉じる。操作者は、取り出した紙幣（千円券）を天地別に分け、天地を揃えて重ねる。
【００８８】
制御部６０は、一の出金処理において出金すべき紙幣をすべて入出金口１２に出金させると一の出金処理を終了する。ここで、以上の金種別分割出金モードが選択されている場合に、制御部６０は、入出金口１２からの紙幣の取り出しが複数回になる旨を、一の出金処理時に表示部６２へ表示させて報知する。具体的に、一の出金処理で出金する金種数を取り出し回数として表示部６２へ表示させる。例えば、出金する金種数が３金種の場合は、取り出し回数が３回になる旨を表示部６２へ表示させる。
【００８９】
（天地別分割出金モード）
一の出金処理で、天地分割出金モード選択設定されている場合について説明する。この場合、制御部６０は、一の出金処理において出金すべき紙幣に一時貯留収納部１８Ｂの出金収納部４１Ｂに収納されている金種の紙幣（万円券）がある場合には、一時貯留収納部１８Ｂの紙幣について、上記した第１の払出処理を行った後、シャッタ３０を開く。入出金口１２から紙幣が取り出されることで、紙幣検知センサ３５が入出金口１２の紙幣を検知しなくなると、制御部６０はシャッタ３０を閉じる。
【００９０】
次に、制御部６０は、この第１の払出処理によって一時貯留収納部１８Ｂから繰り出され繰出カセット２４に一時貯留された紙幣について、上記した第２の払出処理を行う。つまり、制御部６０は、一時貯留収納部１８Ｂの紙幣について、第１の払出処理後、シャッタ３０を開き、その後、紙幣検知センサ３５が入出金口１２の紙幣無しを検知すると、一時貯留収納部１８Ｂから繰り出され繰出カセット２４に一時貯留された紙幣について、第２の払出処理を行う。制御部６０は、この第２の払出処理を行った後、シャッタ３０を開く。入出金口１２から紙幣が取り出されることで、紙幣検知センサ３５が入出金口１２の紙幣を検知しなくなると、制御部６０はシャッタ３０を閉じる。操作者は、第１の払出処理で取り出した紙幣（万円券）と、その後の第２の払出処理で取り出した紙幣（万円券）とを天地を揃えて重ねる。
【００９１】
次に、制御部６０は、一の出金処理において出金すべき紙幣に一時貯留収納部１８Ｃの出金収納部４１Ｃに収納されている金種の紙幣（五千円券）がある場合には、一時貯留収納部１８Ｃの紙幣について、上記した第１の払出処理を行った後、シャッタ３０を開く。入出金口１２から紙幣が取り出されることで、紙幣検知センサ３５が入出金口１２の紙幣を検知しなくなると、制御部６０はシャッタ３０を閉じる。
【００９２】
次に、制御部６０は、この第１の払出処理によって一時貯留収納部１８Ｃから繰り出され繰出カセット２４に一時貯留された紙幣について、上記した第２の払出処理を行う。つまり、制御部６０は、一時貯留収納部１８Ｃの紙幣について、第１の払出処理後、シャッタ３０を開き、その後、紙幣検知センサ３５が入出金口１２の紙幣無しを検知すると、一時貯留収納部１８Ｃから繰り出され繰出カセット２４に一時貯留された紙幣について、第２の払出処理を行う。制御部６０は、この第２の払出処理を行った後、シャッタ３０を開く。入出金口１２から紙幣が取り出されることで、紙幣検知センサ３５が入出金口１２の紙幣を検知しなくなると、制御部６０はシャッタ３０を閉じる。操作者は、第１の払出処理で取り出した紙幣（五千円券）と、その後の第２の払出処理で取り出した紙幣（五千円券）とを天地を揃えて重ねる。
【００９３】
次に、制御部６０は、一の出金処理において出金すべき紙幣に一時貯留収納部１８Ｄの出金収納部４１Ｄに収納されている金種の紙幣（千円券）がある場合には、一時貯留収納部１８Ｄの紙幣について、上記した第１の払出処理を行った後、シャッタ３０を開く。入出金口１２から紙幣が取り出されることで、紙幣検知センサ３５が入出金口１２の紙幣を検知しなくなると、制御部６０はシャッタ３０を閉じる。
【００９４】
次に、制御部６０は、この第１の払出処理によって一時貯留収納部１８Ｄから繰り出され繰出カセット２４に一時貯留された紙幣について、上記した第２の払出処理を行う。つまり、制御部６０は、一時貯留収納部１８Ｄの紙幣について、第１の払出処理後、シャッタ３０を開き、その後、紙幣検知センサ３５が入出金口１２の紙幣無しを検知すると、一時貯留収納部１８Ｄから繰り出され繰出カセット２４に一時貯留された紙幣について、第２の払出処理を行う。制御部６０は、この第２の払出処理を行った後、シャッタ３０を開く。入出金口１２から紙幣が取り出されることで、紙幣検知センサ３５が入出金口１２の紙幣を検知しなくなると、制御部６０はシャッタ３０を閉じる。操作者は、第１の払出処理で取り出した紙幣（千円券）と、その後の第２の払出処理で取り出した紙幣（千円券）とを天地を揃えて重ねる。
【００９５】
制御部６０は、一の出金処理において出金すべき紙幣をすべて入出金口１２に出金させると一の出金処理を終了する。ここで、以上の天地別分割出金モードが選択されている場合に、制御部６０は、入出金口１２からの紙幣の取り出しが複数回になる旨を、一の出金処理時に表示部６２へ表示させて報知する。具体的に、一の出金処理で出金する金種数の２倍の数を取り出し回数として表示部６２へ表示させる。例えば、出金する金種数が３金種の場合は、取り出し回数が６回になる旨を表示部６２へ表示させる。
【００９６】
なお、出金処理において、天地方向の第１方向および第２方向を、操作部６１が受け付ける選択設定操作で設定するようにしても良い。例えば、すべての金種について、第１の払出処理で入出金口１２に払い出される紙幣が天地正向きとなるように天地方向の第１方向を天地正向きに設定し、第２の払出処理で入出金口１２に払い出される紙幣が天地逆向きとなるように、天地方向の第２方向を天地逆向きに設定する。
【００９７】
「精査処理」
操作部６１に精査処理の選択操作が入力されると、制御部６０は、例えば、一時貯留収納部１８Ｂの出金収納部４１Ｂの紙幣を、搬送路１５Ｂから搬送部Ａｅに繰り出し、識別部１６の識別結果から一時貯留収納部１８Ｂへの収納が適正であると識別された紙幣を振分部２０Ｇａ，２０Ｆにより、搬送路１５Ｇおよび搬送部Ａｊ，Ａｋを介して繰出カセット２４から収納カセット２５に収納する（図９の太実線参照）。一方、識別部１６の識別結果から一時貯留収納部１８Ｂへの収納が適正であると識別されなかった重送等の紙幣を振分部２０Ｇａ，２０Ｆにより、搬送路１５Ｇ、搬送部Ａｊおよび搬送路１５Ｆを介してリジェクトカセット２２に収納する（図９の太破線参照）。このようにして、一時貯留収納部１８Ｂの出金収納部４１Ｂのすべての紙幣を、収納カセット２５あるいはリジェクトカセット２２に搬送する。
【００９８】
次に、制御部６０は、収納カセット２５の紙幣を搬送部Ａｋ，Ａｊに繰り出して、搬送路１５Ｇ、搬送部Ａｅで搬送し、識別部１６の識別結果から、一時貯留収納部１８Ｂへの収納が適正であると識別された紙幣を振分部２０Ｂで搬送路１５Ｂに振り分け、一時貯留収納部１８Ｂの一時貯留部４０Ｂから出金収納部４１Ｂに収納する（図１０の太実線参照）。一方、識別部１６の識別結果から一時貯留収納部１８Ｂへの収納が適正であると識別されなかった重送等の紙幣を、搬送部Ａｆ，Ａｇ，Ａｈ，Ａｉ，Ａｊに搬送し振分部２０Ｆにより搬送路１５Ｆに振り分けてリジェクトカセット２２に収納する（図１０の太破線参照）。そして、このときの識別部１６の識別結果から、一時貯留収納部１８Ｂへ収納した紙幣の枚数情報つまり金額情報を確定する。なお、識別部１６で、一時貯留収納部１８Ｂへの収納が適正であると識別されなかった紙幣を検出すると、制御部６０は、一旦収納カセット２５からの紙幣の繰り出しを停止して搬送部Ａｊをリジェクトカセット２２へ向けた紙幣の搬送に切り替えることになる。
【００９９】
上記と同様にして、一時貯留収納部１８Ｃの紙幣をすべて収納カセット２５あるいはリジェクトカセット２２に搬送した後、収納カセット２５から一時貯留収納部１８Ｃあるいはリジェクトカセット２２に搬送して一時貯留収納部１８Ｃの金額情報を確定する。また、一時貯留収納部１８Ｄの紙幣をすべて収納カセット２５あるいはリジェクトカセット２２に搬送した後、収納カセット２５から一時貯留収納部１８Ｄあるいはリジェクトカセット２２に搬送して一時貯留収納部１８Ｄの金額情報を確定する。さらに、一時貯留収納部１８Ｅの紙幣をすべて収納カセット２５あるいはリジェクトカセット２２に搬送した後、収納カセット２５から一時貯留収納部１８Ｅあるいはリジェクトカセット２２に搬送して一時貯留収納部１８Ｅの金額情報を確定する。
【０１００】
「回収処理」
操作部６１に回収処理の選択操作が入力されると、制御部６０は、例えば、一時貯留収納部１８Ｂの出金収納部４１Ｂの紙幣を、搬送路１５Ｂ、搬送部Ａｅに繰り出し、振分部２０Ｇａ，２０Ｆにより、搬送路１５Ｇおよび搬送部Ａｊ，Ａｋを介して繰出カセット２４に一時貯留させる。そして、この紙幣を収納カセット２５に収納する（図１１の太実線参照）。これにより、収納カセット２５を取り出して紙幣を回収することで、一時貯留収納部１８Ｂの出金収納部４１Ｂの紙幣を回収することができる。一時貯留収納部１８Ｃ〜１８Ｅの紙幣についても、同様にして回収することができる。
【０１０１】
「補充処理」
操作部６１に補充処理の選択操作が入力されると、制御部６０は、収納カセット２５に補充紙幣が補充されていることを確認し、収納カセット２５の紙幣を搬送部Ａｋ，Ａｊに繰り出し、搬送路１５Ｇ、搬送部Ａｅで搬送し、識別部１６の識別結果から、一時貯留収納部１８Ｂ〜１８Ｄへの収納が適正であると識別された紙幣を振分部２０Ｂ〜２０Ｄの適宜のもので搬送路１５Ｂ〜１５Ｄの適宜のものに振り分け、一時貯留収納部１８Ｂ〜１８Ｄの出金収納部４１Ｂ〜４１Ｂの適宜のものに収納する（図１２の太実線参照）。一方、識別部１６の識別結果から一時貯留収納部１８Ｂ〜１８Ｄへの収納が適正であると識別されなかった紙幣を、搬送部Ａｈ，Ａｉ，Ａｊに搬送し振分部２０Ｆにより搬送路１５Ｆに振り分けてリジェクトカセット２２に収納する（図１２の太破線参照）。なお、識別部１６で、一時貯留収納部１８Ｂ〜１８Ｄへの収納が適正であると識別されなかった紙幣を検出すると、制御部６０は、一旦繰出カセット２４からの紙幣の繰り出しを停止して搬送部Ａｊをリジェクトカセット２２へ向けた紙幣の搬送状態に切り替えることになる。
【０１０２】
以上に述べた本実施形態に係る紙幣処理装置１１によれば、一時貯留収納部１８Ｂ〜１８Ｃから繰り出された紙幣に対し、識別部１６で識別を行い、制御部６０は、この識別結果に基づいて、表裏取揃部５０で表裏が取り揃えられると天地方向が第１方向に向く天地第１方向紙幣を表裏取揃部５０で表裏を取り揃えて入出金口１２に払い出す一方、表裏取揃部５０で表裏が取り揃えられると天地方向が第２方向に向く天地第２方向紙幣を繰出カセット２４に集積させる第１の払出処理を行う。この第１の払出処理の後、制御部６０は、繰出カセット２４から天地第２方向紙幣を繰り出し、識別部１６による識別結果に基づき表裏取揃部５０で表裏を取り揃えて入出金口１２に払い出す第２の払出処理を行う。よって、表裏が取り揃えられた天地第１方向紙幣と、表裏が取り揃えられた天地第２方向紙幣とを分けて払い出すことができる。
【０１０３】
これにより、操作者は、纏まった状態の天地第１方向紙幣と、纏まった状態の天地第２方向紙幣とを取り出して、これらの天地を揃えるという容易な作業で、払い出された全ての紙幣の表裏および天地を取り揃えることができる。よって、紙幣の天地はそのままで表裏のみを反転させる機構を設けずに済むため、コストの増大を抑制することが可能となる。また、繰出カセット２４は、出金時の紙幣であって天地第２方向紙幣のみを一時的に集積させることができれば良いため、大型化を抑制可能であり、ひいては紙幣処理装置１１の機体の大型化を抑制することが可能となる。
【０１０４】
また、制御部６０が、第２の払出処理において、天地第２方向紙幣を繰出カセット２４から繰り出した後、一旦本来の収納位置である一時貯留収納部１８Ｂ〜１８Ｃの対応するものに戻すことになる。そして、この一時貯留収納部１８Ｂ〜１８Ｃの対応するものから天地第２方向紙幣を繰り出し、識別部１６による識別結果に基づき表裏取揃部５０で表裏を取り揃えて入出金口１２に払い出すことになる。よって、異常発生時における復旧作業のミス等を減らすことができる。
【０１０５】
また、制御部６０は、天地別分割出金モードにおいては、第１の払出処理後、紙幣検知センサ３５が入出金口１２の紙幣無しを検知すると、第２の払出処理を行うため、入出金口１２に払い出した天地第１方向紙幣が取り出されると、自動的に天地第２方向紙幣を入出金口１２に払い出すことができる。
【０１０６】
また、制御部６０が、予め記憶している一時貯留収納部１８Ｂ〜１８Ｃの収納紙幣の表裏および天地の情報に基づいて、天地第１方向紙幣の枚数が天地第２方向紙幣の枚数以上となるように天地方向の第１方向および第２方向を設定することになるため、第１の払出処理で先に払い出す天地第１方向紙幣の枚数を、第２の払出処理で後に払い出す天地第２方向紙幣の枚数以上にすることができる。よって、第１の払出処理で繰出カセット２４に集積する天地第２方向紙幣の紙幣の枚数を減らすことが可能になるため、繰出カセット２４の容量を減らすことが可能になる。また、紙幣一枚当たりの払出時間が第１の払出処理よりも第２の払出処理の方が長くなる場合に、第１の払出処理と第２の払出処理とを合わせた全体の払出処理の時間を短縮することができる。
【０１０７】
また、金種別に複数の一時貯留収納部１８Ｂ〜１８Ｃが設けられているため、複数金種を払い出すことができる。金種毎に第１の払出処理および第２の払出処理を行うことにより、複数金種を払い出す場合にも、すべての金種について紙幣の表裏および天地の取り揃えが容易に可能となる。
【０１０８】
また、複数金種の紙幣を入出金口１２に払い出す一の出金処理時に、複数金種の紙幣を連続的に入出金口１２に払い出す一括出金モードと、金種毎に紙幣の入出金口１２からの取り出しを確認しつつ紙幣を入出金口１２に払い出す金種別分割出金モードと、各金種の天地方向毎に紙幣の入出金口１２からの取り出しを確認しつつ紙幣を入出金口１２に払い出す天地別分割出金モードと、の三つのモードから選択設定可能であるため、操作者の要望に合わせたモードで紙幣を入出金口１２に払い出すことができる。
【０１０９】
また、表示部６２が、一括出金モードが選択設定されている場合には一の出金処理時に入出金口１２からの紙幣の取り出しが一回になる旨を報知し、金種別分割出金モードおよび天地別分割出金モードのいずれか一方が選択設定されている場合には、一の出金処理時に入出金口１２からの紙幣の取り出しが複数回になる旨を報知するため、操作者による不要な待機並びに紙幣の取り忘れを抑制することができる。
【０１１０】
また、第１の払出処理において、入出金口１２に払い出す天地第１方向紙幣の枚数と、繰出カセット２４に集積させる天地第２方向紙幣の枚数とを加算した枚数が、第２の払出処理を加えて最終的に入出金口１２に払い出すべき紙幣の枚数よりも多くなるため、第２の払出処理で払い出し不可な紙幣があっても、払い出すべき枚数の紙幣を入出金口１２に払い出すことができる。
【０１１１】
なお、上述したように、操作部６１の選択設定操作で、第１の払出処理で先に払い出す紙幣の天地方向と、第２の払出処理で後に払い出す紙幣の天地方向の設定が可能になるようにしても良い。この場合、操作者の要望に合わせた形態で紙幣を払い出すことができる。
【０１１２】
「第２実施形態」
本発明の第２実施形態に係る紙幣処理装置を主に図１３を参照して第１実施形態との相違部分を中心に以下に説明する。
【０１１３】
第２実施形態においては、搬送路１５Ｇの搬送路１５Ｅおよび搬送路１５Ｆの間の接続位置には、搬送路１５Ａの搬送部Ａｊで繰出カセット２４側から搬送中の紙幣を搬送路１５Ｇおよび搬送部Ａｉのいずれか一方に選択的に振り分ける振分部２０Ｇｂが設けられている。
【０１１４】
そして、第２実施形態においては、出金処理時に、制御部６０が、第１実施形態と同様の第１の払出処理を行った後、第２の払出処理において、天地第２方向紙幣を繰出カセット２４から繰り出した後、一時貯留収納部１８Ｂ〜１８Ｄの対応するものに戻すことなく、識別部１６による識別結果に基づき表裏取揃部５０で表裏を取り揃えて入出金口１２に払い出す。
【０１１５】
つまり、一の出金処理において出金すべき紙幣に一時貯留収納部１８Ｂの出金収納部４１Ｂに収納されている金種の紙幣（万円券）がある場合には、一時貯留収納部１８Ｂからの第１実施形態と同様の第１の払出処理を終了すると、制御部６０は、一時貯留収納部１８Ｂに関する第２の払出処理として、この第１の払出処理によって繰出カセット２４に一時貯留された紙幣（万円券）を搬送部Ａｋ，Ａｊに繰り出して、振分部２０Ｇｂにより搬送部Ａｉに振り分けて、搬送部Ａｈ，Ａｇ，Ａｆ，Ａｅで識別部１６に向けて搬送する。
【０１１６】
そして、識別部１６で出金可能と識別された紙幣のうち表面を上側としている天地逆向きの紙幣（天地第２方向紙幣）は、搬送部Ａｄ，Ａｃ，Ａｂ，Ａａで搬送して内口部１２ａから入出金口１２に放出させる（図１３の太実線参照）。また、識別部１６で出金可能と識別された紙幣のうち裏面を上側としている天地正向きの紙幣（天地第２方向紙幣）は、振分部２０Ｊにより表裏反転搬送路１５Ｊに搬送し、表裏を反転させて、搬送部Ａａを介して内口部１２ａから入出金口１２に放出させる（図１３の太実線参照）。
【０１１７】
一の出金処理において出金すべき紙幣に一時貯留収納部１８Ｃの出金収納部４１Ｃに収納されている金種の紙幣（五千円券）がある場合に、制御部６０は、一時貯留収納部１８Ｃからの第１実施形態と同様の第１の払出処理が終了すると、この第１の払出処理によって繰出カセット２４に一時貯留された紙幣（五千円券）について、第２実施形態の第２の払出処理を行う。
【０１１８】
一の出金処理において出金すべき紙幣に一時貯留収納部１８Ｄの出金収納部４１Ｄに収納されている金種の紙幣（千円券）がある場合は、制御部６０は、一時貯留収納部１８Ｄからの第１実施形態と同様の第１の払出処理が終了すると、この第１の払出処理によって繰出カセット２４に一時貯留された紙幣（千円券）について、第２実施形態の第２の払出処理を行う。
【０１１９】
以上の第２実施形態の第２の払出処理において、識別部１６で重送や斜行が検出された出金不可紙幣は、繰出カセット２４からの紙幣の繰り出しを一旦停止させた状態で、搬送部Ａｅから振分部２０Ｇａで搬送路１５Ｇ、搬送部Ａｊおよび搬送路１５Ｆに搬送し、リジェクトカセット２２に収納することになり（図１３の太破線参照）、制御部６０は、その分の紙幣を追加で繰出カセット２４から繰り出させる。
【０１２０】
また、第２実施形態の第２の払出処理において、金額情報に応じた枚数の紙幣を入出金口１２に払い出した後、繰出カセット２４に残っている紙幣については、搬送部Ａｋ，Ａｊから振分部２０Ｇｂで搬送路１５Ｇに振り分け、搬送部Ａｅ等を介して、識別部１６に搬送し、その識別結果に基づいて、必要により搬送部Ａｆ，Ａｇで搬送しつつ、搬送路１５Ｂ〜１５Ｄのうちの対応するものを介して、一時貯留収納部１８Ｂ〜１８Ｄの対応する金種のものに戻す。
【０１２１】
以上に述べた第２実施形態によれば、第２の払出処理に要する時間、ひいては出金処理に要する時間を短縮することができる。
【０１２２】
なお、第１，第２実施形態においては、入出金口１２にシャッタ３０を設ける場合を例にとり説明したが、シャッタ３０を設けなくても良い。この場合、例えば、金種別分割出金モードにおいて、一の金種の紙幣を入出金口１２に払い出して待機し、紙幣検知センサ３５が紙幣を検知しなくなると、制御部６０が次の金種の紙幣を入出金口１２に払い出すことになる。また、天地別分割出金モードにおいて、一の金種の天地第１方向紙幣を入出金口１２に払い出して待機し、紙幣検知センサ３５が紙幣を検知しなくなると、制御部６０が、この一の金種の天地第２方向紙幣を入出金口１２に払い出して待機することになる。
【０１２３】
また、第１，第２実施形態においては、入出金口１２を有する紙幣処理装置１１に本発明を適用する場合を例にとり説明したが、外部から投入された紙幣を内部に繰り出す入金口と表裏取揃部５０で表裏が取り揃えられた紙幣を受け入れて外部に取り出し可能とする出金口とを別々に有する紙幣処理装置の出金口への出金ルートや、出金口があり入金口がない出金専用の紙幣処理装置の出金口への出金ルートに本発明を適用することも可能である。
【０１２４】
以上の実施形態の第１の態様は、紙幣を繰り出し可能に収納する収納部と、紙幣の表裏および天地を識別する識別部と、前記識別部の識別結果に基づいて紙幣の表裏を取り揃える表裏取揃部と、紙幣を払い出す払出口と、紙幣を繰り出し可能に集積する集積部と、前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記払出口に払い出す第２の払出処理を行う制御部と、を有することを特徴とする。
【０１２５】
第１の態様は、前記制御部が、設定枚数の紙幣を前記払出口に払い出す一の出金処理時に、予め記憶している前記収納部の収納紙幣の表裏および天地の情報に基づいて、前記天地第１方向紙幣の枚数が前記天地第２方向紙幣の枚数以上となるように前記天地方向の前記第１方向および前記第２方向を設定することを特徴とする。
【０１２６】
第２の態様は、前記収納部が金種別に複数設けられており、複数金種の紙幣を前記払出口に払い出す一の出金処理時に、前記第１の払出処理および前記第２の払出処理を金種毎に行うとともに複数金種の紙幣を連続的に前記払出口に払い出す一括出金モードと、前記第１の払出処理および前記第２の払出処理を金種毎に行うとともに金種毎に紙幣の前記払出口からの取り出しを確認しつつ紙幣を前記払出口に払い出す金種別分割出金モードと、前記第１の払出処理および前記第２の払出処理を金種毎に行うとともに各金種の天地方向毎に紙幣の前記払出口からの取り出しを確認しつつ紙幣を前記払出口に払い出す天地別分割出金モードと、の三つのモードから選択設定可能であることを特徴とする。
【０１２７】
第３の態様は、前記制御部が、前記第１の払出処理において、前記払出口に払い出す前記天地第１方向紙幣の枚数と、前記集積部に集積させる前記天地第２方向紙幣の枚数とを加算した枚数が、前記第２の払出処理を加えて最終的に前記払出口に払い出すべき紙幣の枚数よりも多くなるように前記収納部からの繰り出し枚数を設定することを特徴とする。
【０１２８】
第４の態様は、第１乃至第３のいずれか一態様において、前記制御部は、前記第２の払出処理において、前記天地第２方向紙幣を前記集積部から繰り出し、一旦前記収納部に戻した後、当該収納部から繰り出し、前記識別部による識別結果に基づき前記表裏取揃部で表裏を取り揃えて前記払出口に払い出すことを特徴とする。
【０１２９】
第５の態様は、第１乃至第３のいずれか一態様において、前記制御部は、前記第２の払出処理において、前記天地第２方向紙幣を前記集積部から繰り出し、前記収納部に戻すことなく、前記識別部による識別結果に基づき前記表裏取揃部で表裏を取り揃えて前記払出口に払い出すことを特徴とする。
【０１３０】
第６の態様は、第１乃至第５のいずれか一態様において、前記払出口の紙幣の有無を検知する紙幣検知手段を有し、前記制御部は、前記第１の払出処理後、前記紙幣検知手段が前記払出口の紙幣無しを検知すると、前記第２の払出処理を行うことを特徴とする。
【０１３１】
第７の態様は、第１乃至第６のいずれか一態様において、前記天地方向の前記第１方向および前記第２方向の選択設定操作を受け付ける操作手段を有することを特徴とする。
【０１３２】
第８の態様は、第１乃至第７のいずれか一態様において、前記収納部が金種別に複数設けられていることを特徴とする。
【０１３３】
第９の態様は、第２の態様において、前記一括出金モードが選択設定されている場合には、一の出金処理時に前記払出口からの紙幣の取り出しが一回になる旨を報知し、前記金種別分割出金モードおよび前記天地別分割出金モードのいずれか一方が選択設定されている場合には、一の出金処理時に前記払出口からの紙幣の取り出しが複数回になる旨を報知する報知手段が設けられていることを特徴とする。
【０１３４】
第１の態様によれば、収納部から繰り出された紙幣に対し、識別部で識別を行い、制御部は、この識別結果に基づいて、表裏取揃部で表裏が取り揃えられると天地方向が第１方向に向く天地第１方向紙幣を表裏取揃部で表裏を取り揃えて払出口に払い出す一方、表裏取揃部で表裏が取り揃えられると天地方向が第２方向に向く天地第２方向紙幣を集積部に集積させる第１の払出処理を行う。この第１の払出処理の後、制御部は、集積部から天地第２方向紙幣を繰り出し、識別部による識別結果に基づき表裏取揃部で表裏を取り揃えて払出口に払い出す第２の払出処理を行う。よって、表裏が取り揃えられた天地第１方向紙幣と、表裏が取り揃えられた天地第２方向紙幣とを分けて払い出すことができる。これにより、操作者は、纏まった状態の天地第１方向紙幣と、纏まった状態の天地第２方向紙幣とを取り出して、これらの天地を揃えるという容易な作業で、払い出された全ての紙幣の表裏および天地を取り揃えることができる。よって、紙幣の天地はそのままで表裏のみを反転させる機構を設けずに済むため、コストの増大を抑制することが可能となる。また、集積部は、出金時の紙幣であって天地第２方向紙幣のみを一時的に集積させることができれば良いため、大型化を抑制可能であり、ひいては機体の大型化を抑制することが可能となる。
【０１３５】
第１の態様によれば、制御部が、予め記憶している収納部の収納紙幣の表裏および天地の情報に基づいて、天地第１方向紙幣の枚数が天地第２方向紙幣の枚数以上となるように天地方向の第１方向および第２方向を設定することになるため、第１の払出処理で先に払い出す天地第１方向紙幣の枚数を、第２の払出処理で後に払い出す天地第２方向紙幣の枚数以上にすることができる。よって、第１の払出処理で集積部に集積する天地第２方向紙幣の紙幣の枚数を減らすことが可能になるため、集積部の容量を減らすことが可能になる。また、紙幣一枚当たりの払出時間が第１の払出処理よりも第２の払出処理の方が長くなる場合に、第１の払出処理と第２の払出処理とを合わせた全体の払出処理の時間を短縮することができる。
【０１３６】
第２の態様によれば、複数金種の紙幣を払出口に払い出す一の出金処理時に、複数金種の紙幣を連続的に払出口に払い出す一括出金モードと、金種毎に紙幣の払出口からの取り出しを確認しつつ紙幣を払出口に払い出す金種別分割出金モードと、各金種の天地方向毎に紙幣の払出口からの取り出しを確認しつつ紙幣を払出口に払い出す天地別分割出金モードと、の三つのモードから選択設定可能であるため、操作者の要望に合わせたモードで紙幣を払出口に払い出すことができる。
【０１３７】
第３の態様によれば、第１の払出処理において、払出口に払い出す天地第１方向紙幣の枚数と、集積部に集積させる天地第２方向紙幣の枚数とを加算した枚数が、第２の払出処理を加えて最終的に払出口に払い出すべき紙幣の枚数よりも多くなるため、第２の払出処理で払い出し不可な紙幣があっても、払い出すべき枚数の紙幣を払出口に払い出すことができる。
【０１３８】
第４の態様によれば、制御部が、第２の払出処理において、天地第２方向紙幣を集積部から繰り出した後、一旦本来の収納位置である収納部に戻すことになる。そして、この収納部から天地第２方向紙幣を繰り出し、識別部による識別結果に基づき表裏取揃部で表裏を取り揃えて払出口に払い出すことになる。よって、異常発生時における復旧作業のミス等を減らすことができる。
【０１３９】
第５の態様によれば、制御部が、第２の払出処理において、天地第２方向紙幣を集積部から繰り出した後、収納部に戻すことなく、識別部による識別結果に基づき表裏取揃部で表裏を取り揃えて払出口に払い出す。よって、第２の払出処理に要する時間を短縮することができる。
【０１４０】
第６の態様によれば、制御部は、第１の払出処理後、紙幣検知手段が払出口の紙幣無しを検知すると、第２の払出処理を行うため、払出口に払い出した天地第１方向紙幣が取り出されると、自動的に天地第２方向紙幣を払出口に払い出すことができる。
【０１４１】
第７の態様によれば、操作手段の選択設定操作で、第１の払出処理で先に払い出す紙幣の天地方向と、第２の払出処理で後に払い出す紙幣の天地方向の設定が可能になる。よって、操作者の要望に合わせた形態で紙幣を払い出すことができる。
【０１４２】
第８の態様によれば、収納部が金種別に複数設けられているため、複数金種を払い出すことができる。金種毎に第１の払出処理および第２の払出処理を行うことにより、複数金種を払い出す場合にも、すべての金種について紙幣の表裏および天地の取り揃えが容易に可能となる。
【０１４３】
第９の態様によれば、報知手段が、一括出金モードが選択設定されている場合には一の出金処理時に払出口からの紙幣の取り出しが一回になる旨を報知し、金種別分割出金モードおよび天地別分割出金モードのいずれか一方が選択設定されている場合には、一の出金処理時に払出口からの紙幣の取り出しが複数回になる旨を報知するため、操作者による不要な待機並びに紙幣の取り忘れを抑制することができる。
【符号の説明】
【０１４４】
１１  紙幣処理装置
１２  入出金口（払出口）
１６  識別部
１８Ｂ〜１８Ｄ  一時貯留収納部（収納部）
２４  繰出カセット（集積部）
３５  紙幣検知センサ（紙幣検知手段）
５０  表裏取揃部
６０  制御部
６１  操作部（操作手段）
６２  表示部（報知手段）
【図１】
2018060585.tif 000003
【図２】
2018060585.tif 000004
【図３】
2018060585.tif 000005
【図４】
2018060585.tif 000006
【図５】
2018060585.tif 000007
【図６】
2018060585.tif 000008
【図７】
2018060585.tif 000009
【図８】
2018060585.tif 000010
【図９】
2018060585.tif 000011
【図１０】
2018060585.tif 000012
【図１１】
2018060585.tif 000013
【図１２】
2018060585.tif 000014
【図１３】
2018060585.tif 000015
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
紙幣を繰り出し可能に収納する収納部と、
紙幣の表裏および天地を識別する識別部と、
前記識別部の識別結果に基づいて紙幣の表裏を取り揃える表裏取揃部と、
紙幣を払い出す払出口と、
紙幣を繰り出し可能に集積する集積部と、
前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記第１の払出処理における前記払出口での前記天地第１方向紙幣の向きと異なる向きで前記払出口に払い出す第２の払出処理を行う制御部と、
を有することを特徴とする紙幣処理装置。
【請求項２】
紙幣を繰り出し可能に収納する収納部と、
紙幣の表裏および天地を識別する識別部と、
前記識別部の識別結果に基づいて紙幣の表裏を取り揃える表裏取揃部と、
出金用の紙幣が内部から繰り出されこれを外部に取り出し可能とする払出口と、
紙幣を繰り出し可能に集積する集積部と、
紙幣を前記払出口に払い出す一の出金処理において、前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記払出口に払い出す第２の払出処理を行う制御部と、
を有することを特徴とする紙幣処理装置。
【手続補正２】
【補正対象書類名】明細書
【補正対象項目名】０００８
【補正方法】変更
【補正の内容】
【０００８】
本発明に係る第１の態様は、紙幣を繰り出し可能に収納する収納部と、紙幣の表裏および天地を識別する識別部と、前記識別部の識別結果に基づいて紙幣の表裏を取り揃える表裏取揃部と、紙幣を払い出す払出口と、紙幣を繰り出し可能に集積する集積部と、前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記第１の払出処理における前記払出口での前記天地第１方向紙幣の向きと異なる向きで前記払出口に払い出す第２の払出処理を行う制御部と、を有することを特徴とする。
本発明に係る第２の態様は、紙幣を繰り出し可能に収納する収納部と、紙幣の表裏および天地を識別する識別部と、前記識別部の識別結果に基づいて紙幣の表裏を取り揃える表裏取揃部と、出金用の紙幣が内部から繰り出されこれを外部に取り出し可能とする払出口と、紙幣を繰り出し可能に集積する集積部と、紙幣を前記払出口に払い出す一の出金処理において、前記識別部による識別結果に基づき、前記収納部から繰り出された紙幣のうち前記表裏取揃部で表裏が取り揃えられると天地方向が第１方向に向く天地第１方向紙幣を前記表裏取揃部で表裏を取り揃えて前記払出口に払い出す一方、前記表裏取揃部で表裏が取り揃えられると天地方向が前記第１方向とは逆の第２方向に向く天地第２方向紙幣を前記集積部に集積させる第１の払出処理を行い、該第１の払出処理の後、前記集積部から前記天地第２方向紙幣を繰り出し、前記識別部による識別結果に基づき前記表裏取揃部で表裏を取り揃えて前記払出口に払い出す第２の払出処理を行う制御部と、を有することを特徴とする。
【手続補正３】
【補正対象書類名】明細書
【補正対象項目名】０００９
【補正方法】変更
【補正の内容】
【０００９】
本発明によれば、コストの増大および大型化を抑制しつつ、紙幣の表裏および天地を取り揃えることが容易に可能となる紙幣処理装置を提供できる。